(57)【要約】【課題】  フィルタに濾過する空気に含まれる塵埃を低減させることが可能なサイクロン式電気掃除機を提供することを目的とする。【解決手段】  吸引筒１８によってタンク内１６内へ導かれた塵埃を含む空気が旋回流により遠心分離によって塵埃と空気とを分離するが、タンク１６内の上方で分離された塵埃（特に防塵傘２０付近）がタンク１６内の底へ堆積せず吸引モータ１１の吸引力により、吸引されても防塵傘２０により、吸引された塵埃が防塵傘２０に衝突して、タンク１６内の底へ落下する。【選択図】  図２
2006311895.tif 000002
【特許請求の範囲】
【請求項１】
塵埃を含む空気が集塵ケースに導かれ、遠心分離により空気中から塵埃を分離して集塵するサイクロン式電気掃除機において、
前記集塵ケースの上方に設けられたフィルタが防塵部材を備え、
前記集塵ケース内の空気を排気する際に前記排気する空気が、前記フィルタが捕捉する排気する空気に含まれる塵埃を前記防塵部材によって低減することを特徴とするサイクロン式電気掃除機。
【請求項２】
前記防塵部材は略円錐形であり、底面の直径が前記フィルタよりも大きいことを特徴とする請求項１記載のサイクロン式電気掃除機。
【請求項３】
前記防塵部材は前記フィルタの下部に設けられ、着脱自在に取り付けられることを特徴とする請求項１または２記載のサイクロン式電動掃除機。
【発明の詳細な説明】
【技術分野】
【０００１】
本発明は、吸気を旋回流にすることにより遠心分離により塵埃を含む空気中から塵埃を分離するサイクロン方式の集塵部を備えた電気掃除機に関する。
【背景技術】
【０００２】
サイクロン方式の集塵部を備えた電気掃除機は、塵埃の集塵量の増加に伴う吸気能力の低下が少ないことや、紙パックのような集塵のための消耗品が不要であることなどの特徴を有している。
【０００３】
上記のサイクロン方式の集塵部を備えた電気掃除機は、例えば、特許文献１や特許文献２に開示されており、吸気された集塵を含む空気を旋回流に形成することによって遠心分離より空気中から集塵を分離し、分離された塵埃を集塵部の下部に体積させるように構成されている。
【０００４】
そこで、図３に従来のサイクロン方式の電気掃除機の掃除機本体の構成を示す。掃除機本体１００に内蔵された電動送風機１０１を回転させることにより、先端に吸込具が連結された吸気ホース（図示略）が接続される吸気口１０２から吸引された塵埃を含む空気は、吸気を旋回流に形成する誘導流路１０３から塵埃分離室１０４内に流入する。塵埃分離室１０４は、図４に示すように、略円筒形に形成され、誘導流路１０３により吸気された空気の流れ方向が円筒の接線方向になり、流路断面積が挟められることにより、塵埃分離室１０４内に流入した空気は高速旋回流となり、旋回流による遠心分離により空気中から塵埃が分離され、分離された塵埃は流入口１０５から一部の空気と共に塵埃収容室１０６に流入し、塵埃収容室１０６の底に体積する。塵埃収容室１０６の空気は略中央部から第１フィルタ１０７を通り、塵埃分離室１０４の空気と共に第２フィルタ１０８を通って電動送風器１０１に吸引される。
【特許文献１】特開２０００−３４２４９２号公報
【特許文献２】特開平９−２５３０１１号公報
【発明の開示】
【発明が解決しようとする課題】
【０００５】
しかしながら、従来のサイクロン式電気掃除機は、フィルタに空気を濾過して排気しているが、フィルタに濾過する空気に含まれる塵埃の低減を目的とした技術が開示されていない。
【０００６】
本発明は係る問題に鑑みてなされたものであり、フィルタに濾過する空気に含まれる塵埃を低減させることが可能なサイクロン式電気掃除機を提供することを目的とする。
【課題を解決するための手段】
【０００７】
上記目的を達成するために、請求項１記載のサイクロン式電気掃除機は、塵埃を含む空気が集塵ケースに導かれ、遠心分離により空気中から塵埃を分離して集塵するサイクロン式電気掃除機において、集塵ケースの上方に設けられたフィルタが防塵部材を備え、集塵ケース内の空気を排気する際に排気する空気が、フィルタが捕捉する排気する空気に含まれる塵埃を防塵部材によって低減することを特徴とする。
【０００８】
請求項２記載の発明は、請求項１記載のサイクロン式電気掃除機であって、防塵部材は略円錐形であり、底面の直径がフィルタよりも大きいことを特徴とする。
【０００９】
請求項３記載の発明は、請求項１または２記載のサイクロン式電気掃除機であって、防塵部材はフィルタの下部に設けられ、着脱自在に取り付けられることを特徴とする。
【発明の効果】
【００１０】
本発明によれば、フィルタに防塵部材を設けることで、フィルタで濾過する空気に含まれる塵埃の低減させることで、フィルタの使用寿命を延ばすことができる。
【発明を実施するための最良の形態】
【００１１】
次に、図を参照して、本発明の実施形態について説明する。
図１は、本実施形態におけるサイクロン式電気掃除機の構成を示した図である。
図１（ａ）は、サイクロン式電気掃除機を上から見た図である。図１（ｂ）は、サイクロン式電気掃除機を横から見た図である。
サイクロン式電気掃除機１０は、ケース１２がクランプ１４によって略円筒形のタンク１６を密封状態にしている。ケース１２内には、吸引モータ１９が設けられ、下部には、排気口１５が設けられている。タンク１６には、覗き窓１７が設けられ、ゴミの堆積量を見ることができる。
【００１２】
吸引口１１には、図示ないが、先端に吸込具を着脱可能に装着した延長管が手元ハンドルに連結され、手元ハンドルから延出するホースがホース継ぎ手によって掃除機本体１０に連結されている。
【００１３】
タンク１６内に堆積した塵埃を廃棄する際には、クランプ１４を外すことで、ケース１２とタンク１６から分離することができ、タンク１６とケース１２との接続部分が開口状態となり、そこから堆積した塵埃を廃棄することができる。
【００１４】
図２に示すように、吸引口１１から吸引された塵埃を含む空気は、タンク１６の内周面に沿って、斜めに突き出した形状の吸気筒１８を通りタンク１６内へ導かれる。塵埃を含む空気は、タンク１６内で矢印３０のようにタンク１６内の内周面に沿って高速の旋回流となって下向き傾斜の流路を流れ、遠心分離によって空気中から塵埃が分離される。遠心分離よって分離された塵埃は自重によりタンク１６内の底へ堆積していく。
【００１５】
旋回流していた空気は塵埃が分離され、タンク１６内の底へ衝突する。タンク１６内に対流している空気は、ケース１２内の吸引モータ１１によって吸引され、空気は矢印４０のように、タンク１６内の上方へ吸引されていく。上方へ吸引される空気は、防塵傘２０の左右からフィルタ１７へ導かれ、フィルタ１７を通った空気は排気口１５から排気される。
【００１６】
防塵傘２０は、略円錐形の形状で底面がフィルタ１７の直径よりも大きくなっている。防塵傘２０は、吸引される空気に含まれる塵埃（特に質量が大きい塵埃）が防塵傘２０へ衝突することでフィルタ１７が詰まるような塵埃が取り除かれる。
【００１７】
また、吸引筒１８によってタンク内１６内へ導かれた塵埃を含む空気が旋回流により遠心分離によって塵埃と空気とを分離するが、タンク１６内の上方で分離された塵埃（特に防塵傘２０付近）がタンク１６内の底へ堆積せず吸引モータ１１の吸引力により、吸引されても防塵傘２０により、吸引された塵埃が防塵傘２０に衝突して、タンク１６内の底へ落下する。
【図面の簡単な説明】
【００１８】
【図１】（ａ）は、サイクロン式電気掃除機を上から見た図である。（ｂ）は、サイクロン式電気掃除機を横から見た図である。
【図２】（ａ）は、サイクロン式電気掃除機の内部を上から見た図である。（ｂ）は、サイクロン式電気掃除機の断面を示した図である。
【図３】従来のサイクロン式電気掃除機の部分断面図である。
【図４】従来のサイクロン式電気掃除機の塵埃分離室の構成を示し断面図である。
【符号の説明】
【００１９】
１０    サイクロン式電動掃除機
１１    吸引モータ
１２    ケース
１３    電源コード
１４    クランプ
１５    排気口
１６    タンク
１７    フィルタ
１８    吸引筒
２０    防塵傘
【図１】
2006311895.tif 000003
【図２】
2006311895.tif 000004
【図３】
2006311895.tif 000005
【図４】
2006311895.tif 000006